(57)【要約】【課題】漏れた微燃性冷媒が引火濃度に達する不具合を未然に防ぐことができる空気調和機を提供する。【解決手段】天井面に配置される室内ユニットと室外ユニットとの間で循環する冷媒に漏れが生じた場合、天井面の裏側空間の空気を当該空間外に排出する。【選択図】図１
2015212600.tif 000002
【特許請求の範囲】
【請求項１】
天井面に配置される室内ユニットを備え、この室内ユニットと室外ユニットとの間で冷媒を循環させる空気調和機において、
前記冷媒が漏れた場合に、前記天井面の裏側空間の空気を当該空間外に排出する排気手段、
を備えることを特徴とする空気調和機。
【請求項２】
前記排気手段は、前記冷媒が漏れた場合に、前記天井面の裏側空間の空気を同天井面の表側の室内空間に排出する
ことを特徴とする請求項１記載の空気調和機。
【請求項３】
前記排気手段は、
前記室内ユニットの筐体に形成され、その室内ユニット内の吹出し風路と前記天井面の裏側空間とを連通する通気口と、
前記通気口を開閉するダンパと、
前記冷媒の漏れを検出する検出手段と、
前記検出手段が冷媒漏れを検出しない場合に前記ダンパを閉じ、前記検出手段が冷媒漏れを検出した場合に前記ダンパを開く制御手段と、
を含むことを特徴とする請求項１記載の空気調和機。
【発明の詳細な説明】
【技術分野】
【０００１】
本発明の実施形態は、天井面取付け形の室内ユニットを有する空気調和機に関する。
【背景技術】
【０００２】
天井面取付け形の室内ユニットを有する空気調和機の場合、室内ユニットと室外ユニットとを接続する冷媒配管が天井裏空間に配設される。
【０００３】
大きな建物に設置される空気調和機の場合、長い冷媒配管が必要となるため、複数の冷媒配管が天井裏空間で継ぎ足し接続される。
【先行技術文献】
【特許文献】
【０００４】
【特許文献１】特開２０１１−２２６７１５号公報
【発明の概要】
【発明が解決しようとする課題】
【０００５】
室内ユニットと冷媒配管との接続部や、天井裏空間における各冷媒配管の継ぎ目から、冷媒が漏れることがある。
【０００６】
最近の空気調和機に使用されるＲ３２冷媒は、Ｒ４１０Ａ冷媒と比較すると地球温暖化係数が小さい反面、微燃性があるため、所定の濃度になると引火する恐れがある。このような微燃性の冷媒が天井裏空間に漏れた場合、天井裏空間が狭いことから、漏れた冷媒が引火濃度に達してしまう可能性がある。
【０００７】
本発明の実施形態の目的は、漏れた微燃性冷媒が引火濃度に達する不具合を未然に防ぐことができる空気調和機を提供することである。
【課題を解決するための手段】
【０００８】
請求項１の空気調和機は、天井面に配置される室内ユニットを備え、この室内ユニットと室外ユニットとの間で冷媒を循環させるものであって、排気手段を備える。排気手段は、前記冷媒が漏れた場合に、前記天井面の裏側空間の空気を当該空間外に排出する。
【図面の簡単な説明】
【０００９】
【図１】一実施形態の外観を示す斜視図。
【図２】同実施形態の室内ユニットの縦断面を示す図。
【図３】図２のダンパが開いた状態を示す図。
【図４】同実施形態の冷凍サイクルおよび制御部を示す図。
【図５】同実施形態の制御を示すフローチャート。
【発明を実施するための形態】
【００１０】
以下、この発明の一実施形態について図面を参照して説明する。  
図１において、天井面に配置される天井面取付け形（天井カセット形ともいう）の室内ユニット１は、室内空間に臨む矩形枠状の化粧パネル２、この化粧パネル２の内側に配置される矩形状の吸込みパネル３、この吸込みパネル３の外周縁の各辺と化粧パネル２の内周縁の各辺との間に形成される複数の吹出口４を備える。
【００１１】
室内ユニット１の本体内に収容されている後述の制御部７０からケーブル３１が導出され、そのケーブル３１にリモートコントロール式の操作器（リモコンという）３０が接続される。
【００１２】
室内ユニット１の本体における配管接続部に液側冷媒配管４１およびガス側冷媒配管４２のそれぞれ一端が接続され、これら液側冷媒配管４１およびガス側冷媒配管４２の他端が屋外の室外ユニット４０の配管接続部に接続される。室内ユニット１と室外ユニット４０との間の距離が長い場合、複数の冷媒配管の継ぎ足し接続によって液側冷媒配管４１およびガス側冷媒配管４２がそれぞれ構成される。各冷媒配管の継ぎ足し接続部は、例えば“ろう付け”処理によって密封される。
【００１３】
室内ユニット１の本体は、図２に示すように、建物の被空調室の天井面２１に形成された開口に埋設される。この埋設に伴い、化粧パネル２、吸込みパネル３、各吹出口４が被空調室の室内空間Ａに臨む状態となる。各吹出口４は、吹出し方向調整用のルーバ４ａを有する。天井面２１の裏側の天井裏空間Ｂは、天井面２１、側壁２２、上階フロア２３によって囲まれた狭い空間である。
【００１４】
室内ユニット１の本体内に室内ファン５およびその室内ファン５の駆動モータ５Ｍが配設され、その室内ファン５と吸込みパネル３との間に吸込みダクト６が配設される。この吸込みダクト６の内側に吸込み風路７が形成される。
【００１５】
室内ユニット１の本体内において、室内ファン５の周囲に室内熱交換器８が配置され、この室内熱交換器８と本体筐体の内周面との間に吹出し風路９が形成される。吹出し風路９は、各吹出口４に連通する。
【００１６】
室内ファン５が運転されると、矢印で示すように、天井面２１の表側の室内空間Ａの空気が吸込みパネル３を通って吸込みダクト６内の吸込み風路７に流入する。吸込み風路７に流入した空気は、室内ファン５を通り、さらに室内熱交換器８を通って吹出し風路９に流れる。吹出し風路９に流れた空気は、各吹出口４から室内空間Ａに吹出される。
【００１７】
室内ユニット１の本体筐体において、吹出し風路９と対応する位置に、少なくとも１つの通気口１ａが形成される。通気口１ａは、吹出し風路９と天井裏空間Ｂとを連通する。この通気口１ａにダンパ１１が開閉自在に枢支され、そのダンパ１１が開閉機構１２を介してモータ１３に連結される。モータ１３が正転動作すると、その動力が開閉機構１２を介してダンパ１１に伝わり、図３に示すようにダンパ１１が開く。ダンパ１１が開くと、通気口１ａが開通し、天井裏空間Ｂ内の空気が通気口１ａを通って吹出し風路９に流入する。モータ１３が逆転動作すると、その動力が開閉機構１２を介してダンパ１１に伝わり、図２のようにダンパ１１が閉じる。ダンパ１１が閉じると、通気口１ａが閉塞される。
【００１８】
室内ユニット１から室外ユニット４０にかけて構成されるヒートポンプ式冷凍サイクル、および室内ユニット１に収容される制御部７０を、図４に示す。
【００１９】
まず、室外ユニット４０において、圧縮機５１の吐出口に四方弁５２を介して室外熱交換器５３が配管接続され、その室外熱交換器５３に電動膨張弁５４を介してパックドバルブ５５が配管接続される。このパックドバルブ５５に上記液側冷媒配管４１を介して室内ユニット１の室内熱交換器８が接続され、その室内熱交換器８に上記ガス側冷媒配管４２を介して室外ユニット４０パックドバルブ５６が配管接続される。そして、パックドバルブ５６に上記四方弁５２およびアキュームレータ５７を介して圧縮機５１の吸込口が配管接続される。
【００２０】
圧縮機５１は、吸込口から冷媒を吸込み、その吸込み冷媒を圧縮して吐出口から吐出する。冷媒として、Ｒ４１０Ａと比較して地球温暖化係数が小さい冷媒である例えばＲ３２冷媒が使用される。この冷媒は、微燃性で、所定の濃度になると引火（または発火）し易い。圧縮機５１にインバータ５０が接続される。インバータ５０は、商用交流電源の電圧を直流電圧に変換し、その直流電圧をスイッチングにより所定周波数Ｆ（Ｈｚ）およびその所定周波数Ｆに応じたレベルの交流電圧に変換して出力する。この出力により、圧縮機５１が動作する。電動膨張弁５４は、入力される駆動パルスの数に応じて開度が連続的に変化するパルスモータバルブ（ＰＭＶ）である。室外熱交換器５３の近傍に室外ファン５８が配置される。
【００２１】
冷房時は、矢印で示すように、圧縮機５１から吐出された冷媒が四方弁５２、室外熱交換器５３、電動膨張弁５４、パックドバルブ５５、液側冷媒配管４１、室内熱交換器８、ガス側冷媒配管４２、パックドバルブ５６、四方弁５２、アキュームレータ５７を通って圧縮機５１に吸込まれる。この冷媒の流れにより、室外熱交換器５３が凝縮器として機能し、室内熱交換器８が蒸発器として機能する。暖房時は、四方弁５２の流路が切換わることにより、圧縮機５１から吐出された冷媒が四方弁５２、パックドバルブ５６、ガス側冷媒配管４２、室内熱交換器８、液側冷媒配管４１、パックドバルブ５５、電動膨張弁５４、室外熱交換器５３、四方弁５２、アキュームレータ５７を通って圧縮機５１に吸込まれる。この冷媒の流れにより、室内熱交換器８が凝縮器として機能し、室外熱交換器５３が蒸発器として機能する。
【００２２】
室外熱交換器５３に温度センサ６１が取付けられる。室内熱交換器８の冷房時冷媒流入側となる位置に温度センサ６２が取付けられる。四方弁５２とアキュームレータ５７との間の配管に温度センサ６３が取付けられる。
【００２３】
制御部７０は、室内ユニット１および室外ユニット４０を制御する。この制御部７０に、ケーブル３１を介してリモコン３０が接続されるとともに、押釦式かつ自動復帰型のリセットスイッチ７１が接続される。リモコン３０は、当該空気調和機の運転条件設定用である。リセットスイッチ７１は、制御部７０が搭載される制御回路基板などに配置される。
【００２４】
制御部７０は、主要な機能として次の（１）〜（３）の手段を有する。  
（１）蒸発器（冷房時は室内熱交換器８、暖房時は室外熱交換器５３）における冷媒の過熱度ＳＨが目標値ＳＨｔとなるように電動膨張弁５４の開度を制御する過熱度制御手段。過熱度ＳＨは、冷房時は温度センサ６２の検知温度Ｔ２と温度センサ６３の検知温度Ｔ３との差（＝Ｔ３−Ｔ２）であり、暖房時は温度センサ６１の検知温度Ｔ１と温度センサ６３の検知温度Ｔ３との差（＝Ｔ３−Ｔ１）である。
【００２５】
（２）ヒートポンプ式冷凍サイクルの冷媒漏れを検出する検出手段。
【００２６】
（３）上記検出手段が冷媒漏れを検出しない場合にダンパ１１を閉じ、上記検出手段が冷媒漏れを検出した場合にダンパ１１を開く制御手段。
【００２７】
上記（２）の検出手段、上記（３）の制御手段、上記通気口１ａ、上記ダンパ１１、上記開閉機構１２、上記モータ１３などにより、冷媒漏れが生じた場合に天井裏空間Ｂの空気を排出する排気手段が構成される。排出先は、天井裏空間Ｂよりも容量が大きい室内空間Ａである。
【００２８】
上記（２）の検出手段は、具体的には、ヒートポンプ式冷凍サイクルに冷媒漏れが無い場合の電動膨張弁５４の現時点の開度をヒートポンプ式冷凍サイクルの運転初期の状態量と現時点のヒートポンプ式冷凍サイクル状態量の変化量に基づいて予測し、この予測開度Ｑｍと電動膨張弁５４の現時点の実開度Ｑａとの比較により、実際の冷媒漏れの有無を検出する。予測については、ヒートポンプ式冷凍サイクルの運転初期における同ヒートポンプ式冷凍サイクルの状態を初期状態として内部メモリに記憶し、この記憶した初期状態とヒートポンプ式冷凍サイクルの現時点の状態との差を状態変化量として検出し、ヒートポンプ式冷凍サイクルに冷媒漏れが無い場合の電動膨張弁５４の現時点の開度を上記検出した状態変化量に基づいて予測する。初期状態として記憶する要素は、必須である電動膨張弁５４の開度Ｑａ´と、さらに運転周波数（インバータ５０の出力周波数）Ｆ´、凝縮温度Ｔｃ´、蒸発温度Ｔｅ´、過熱度ＳＨ´の少なくとも１つである。運転周波数Ｆ´、凝縮温度Ｔｃ´、蒸発温度Ｔｅ´、過熱度ＳＨ´の４つを初期状態の要素とする場合には、同様に、運転周波数Ｆ、凝縮温度Ｔｃ、蒸発温度Ｔｅ、過熱度ＳＨの４つを現時点の状態として抽出する。運転周波数Ｆ´、凝縮温度Ｔｃ´、蒸発温度Ｔｅ´、過熱度ＳＨ´のいずれか３つを初期状態の要素とする場合には、それと同じ３つの要素を現時点の状態として抽出する。いずれか２つを初期状態の要素とする場合には、それと同じ２つの要素を現時点の状態として抽出する。いずれか１つを初期状態の要素とする場合には、それと同じ１つの要素を現時点の状態として抽出する。
【００２９】
つぎに、制御部７０が実行する制御を図５のフローチャートを参照しながら説明する。  
制御部７０は、初期状態フラグｆが“０”であるか否かを判定する（ステップＳ１）。初期状態フラグｆは、当該空気調和機の設置時など、ユーザや作業員によるリセットスイッチ７１のオン操作に応じて“０”にリセットされる。
【００３０】
初期状態フラグｆが“０”の場合（ステップＳ１のＹＥＳ）、制御部７０は、室内ユニット１のモータ１３を逆転動作させて通気口１ａのダンパ１１を閉じる（ステップＳ２）。ダンパ１１が閉じることにより、通気口１ａが閉塞される。そして、制御部７０は、運転時間ｔを積算し（ステップＳ３）、その積算運転時間ｔが設定時間ｔ１以上（ｔ≧ｔ１）であるかを判定する（ステップＳ４）。積算運転時間ｔは、制御部７０内のメモリに逐次に更新記憶され、リセットスイッチ７１のオン操作があった場合に零クリアされる。設定時間ｔ１は、運転初期であるところの10時間乃至50時間であり、当該装置の設置環境などに応じて適切な値が選定される。
【００３１】
積算運転時間ｔが設定時間ｔ１以上でない場合（ステップＳ４のＮＯ）、制御部７０は、ステップＳ１のフラグ判定に戻る。積算運転時間ｔが設定時間ｔ１以上となった場合（ステップＳ４のＹＥＳ）、制御部７０は、ヒートポンプ式冷凍サイクルが安定状態にあるか否かを判定する（ステップＳ５，Ｓ６，Ｓ７）。
【００３２】
ステップＳ５は、過熱度ＳＨと目標値ＳＨｔとの差の絶対値ΔＳＨが設定値ΔＳＨｓ未満（｜ΔＳＨ｜＜ΔＳＨｓ）であるかを判定する。設定値ΔＳＨｓは、例えば２〜３Ｋである。ステップＳ６は、過熱度ＳＨが設定値ＳＨａ以上（ＳＨ≧ＳＨａ）であるかを判定する。設定値ＳＨａは、例えば１〜２Ｋである。この場合、過熱度ＳＨが設定値ＳＨａ以上ということは、過熱度ＳＨは正の値である。ステップＳ７は、圧縮機５１の運転周波数（インバータ５０の出力周波数）Ｆが設定値Ｆｓ以上（Ｆ≧Ｆｓ）であるかを判定する。設定値Ｆｓは、例えば３０Ｈｚである。
【００３３】
ステップＳ５，Ｓ６，Ｓ７の判定結果がいずれか１つでも否定の場合、制御部７０は、ステップＳ１のフラグ判定に戻る。
【００３４】
ステップＳ５，Ｓ６，Ｓ７の判定結果が共に肯定の場合、制御部７０は、ヒートポンプ式冷凍サイクルが安定状態に入ったとの判断の下に、ヒートポンプ式冷凍サイクルの初期状態を内部メモリに記憶する（ステップＳ８）。この場合、初期状態として、開度Ｑ´、運転周波数Ｆ´、凝縮温度Ｔｃ´、蒸発温度Ｔｅ´、過熱度ＳＨ´を記憶する。凝縮温度Ｔｃ´は、冷房時は室外熱交換器５３に取付けられた温度センサ６１の検知温度Ｔ１であり、暖房時は室内熱交換器８に取付けられた温度センサ６２の検知温度Ｔ２である。蒸発温度Ｔｅ´は、冷房時は室内熱交換器８に取付けられた温度センサ６２の検知温度Ｔ２であり、暖房時は室外熱交換器５３に取付けられた温度センサ６１の検知温度Ｔ１である。
【００３５】
初期状態の記憶に伴い、制御部７０は、初期状態フラグｆを“１”にセットしてから（ステップＳ９）、ステップＳ１のフラグ判定に戻る。
【００３６】
初期状態フラグｆが“１”の場合（ステップＳ１のＮＯ）、制御部７０は、初期状態の記憶時と同様に、ヒートポンプ式冷凍サイクルが安定状態にあるか否かを判定する（ステップＳ１０，Ｓ１１，Ｓ１２）。
【００３７】
ステップＳ１０は、過熱度ＳＨと目標値ＳＨｔとの差の絶対値ΔＳＨが設定値ΔＳＨｓ未満（｜ΔＳＨ｜＜ΔＳＨｓ）であるかを判定する。設定値ΔＳＨｓは、例えば２〜３Ｋである。ステップＳ１１は、過熱度ＳＨが設定値ＳＨａ以上（ＳＨ≧ＳＨａ）であるかを判定する。設定値ＳＨａは、例えば１〜２Ｋである。この場合、過熱度ＳＨが設定値ＳＨａ以上ということは、過熱度ＳＨは正の値である。ステップＳ１２は、圧縮機５１の運転周波数Ｆが設定値Ｆｓ以上（Ｆ≧Ｆｓ）であるかを判定する。設定値Ｆｓは、例えば３０Ｈｚである。
【００３８】
ステップＳ１０，Ｓ１１，Ｓ１２の判定結果がいずれか１つでも否定の場合、制御部７０は、ステップＳ１のフラグ判定に戻る。
【００３９】
ステップＳ１０，Ｓ１１，Ｓ１２の判定結果が共に肯定の場合、制御部７０は、ヒートポンプ式冷凍サイクルが安定状態に入ったとの判断の下に、記憶している初期状態とヒートポンプ式冷凍サイクルの現時点の状態との差を状態変化量として検出する（ステップＳ１３）。この場合、現時点の状態として、運転周波数Ｆ、凝縮温度Ｔｃ、蒸発温度Ｔｅ、過熱度ＳＨを抽出する。
【００４０】
状態変化量は、初期状態である運転周波数Ｆ´と現時点の運転周波数Ｆとの差ΔＦ、初期状態である凝縮温度Ｔｃ´と現時点の凝縮温度Ｔｃとの差ΔＴｃ、初期状態である蒸発温度Ｔｅ´と現時点の蒸発温度Ｔｅとの差ΔＴｅ、初期状態である過熱度ＳＨ´と現時点の過熱度ＳＨとの差ΔＳＨｘである。
【００４１】
制御部７０は、ヒートポンプ式冷凍サイクルに冷媒漏れが無い場合の電動膨張弁５４の現時点の開度Ｑｍを上記検出した状態変化量に基づいて予測する（ステップＳ１４）。この予測について説明する。  
まず、電動膨張弁５４の開度Ｑを決める要因として、“かわき度”“循環量”“蒸発温度Ｔｅ”“凝縮温度Ｔｃ”がある。“かわき度”は、冷媒が湿り飽和蒸気であるときの蒸気（乾き飽和蒸気）と飽和液との重量比のことである。“循環量”は、冷媒の循環量のことである。
【００４２】
これらの要因から、電動膨張弁５４の開度Ｑを表わす次の理論式が得られる。Ｌは循環量、ρは電動膨張弁５４の冷媒入口側における冷媒密度である。ΔＰは電動膨張弁５４の冷媒入口側における冷媒圧力Ｐ１と冷媒出口側における冷媒の圧力Ｐ２との差である。  
Ｑ＝Ｌ・（ρ／ΔＰ）＾0.5  
冷媒密度ρを除く循環量Ｌおよび圧力差ΔＰは、運転周波数Ｆ、凝縮温度Ｔｃ、蒸発温度Ｔｅ、過熱度ＳＨを用いた演算により求めることができる。これら運転周波数Ｆ、凝縮温度Ｔｃ、蒸発温度Ｔｅ、過熱度ＳＨをパラメータとして開度Ｑを補正すれば、その補正後と補正前の開度Ｑの変化量から冷媒密度ρの変化量を知ることができる。冷媒密度ρの変化量は、冷凍サイクル中の冷媒の変化量でもある。
【００４３】
したがって、初期状態として記憶した開度Ｑ´を、運転周波数Ｆ、凝縮温度Ｔｃ、蒸発温度Ｔｅ、過熱度ＳＨの状態変化量をパラメータとして補正する下式の演算により、ヒートポンプ式冷凍サイクルに冷媒漏れが無い場合の電動膨張弁５４の現時点の開度Ｑｍを予測することができる。ａ，ｂ，ｃ，ｄは定数である。  
Ｑｍ＝ａ・ΔＦ＋ｂ・ΔＴｃ＋ｃ・ΔＴｅ＋ｄ・ΔＳＨｘ＋Ｑ´
仮に、ヒートポンプ式冷凍サイクルに冷媒の漏洩がある場合、漏洩による冷媒流の不足分を補うべく、電動膨張弁５４の実開度Ｑａは予測開度Ｑｍよりも増加方向に開度調節される。
【００４４】
制御部７０は、検出した予測開度Ｑｍと電動膨張弁５４の現時点の実開度Ｑａとのずれ量ΔＱ（＝Ｑａ−Ｑｍ）を求め（ステップＳ１５）、求めたずれ量ΔＱが設定値ΔＱｓ以上であるかを判定する（ステップＳ１６）。設定値ΔＱｓは、駆動パルスの数として例えば100パルス分乃至200パルス分の開度であり、冷凍サイクル機器の容量や配管長などに応じて適切な値が選定される。
【００４５】
ずれ量ΔＱが設定値ΔＱｓ以上の場合（ステップＳ１６のＹＥＳ）、制御部７０は、ヒートポンプ式冷凍サイクルに冷媒漏れが生じているとの判断の下に、室内ユニット１のモータ１３を正転動作させて室内ユニット１のダンパ１１を開く（ステップＳ１７）。ダンパ１１が開くと、天井裏空間Ｂ内の空気が通気口１ａを通って吹出し風路９に流入する。流入した空気は、室内熱交換器８を経た空調用空気と共に、各吹出口４から室内空間Ａに吹出される。
【００４６】
冷媒漏れの個所が、室内ユニット１の本体筐体と液側冷媒配管４１との接続部や、天井裏空間Ｂにおける複数の液側冷媒配管４１の継ぎ目である場合、漏れた液冷媒が気化して天井裏空間Ｂに漂う。冷媒漏れの個所が、室内ユニット１の本体筐体とガス側冷媒配管４２との接続部や、天井裏空間Ｂにおける複数のガス側冷媒配管４２の継ぎ目である場合、漏れたガス冷媒が天井裏空間Ｂに漂う。この場合、天井裏空間Ｂは狭いので、天井裏空間Ｂに漂うガス冷媒が高濃度化して引火濃度（または発火濃度）に達してしまう可能性がある。
【００４７】
ただし、この冷媒漏れに際してはそれを検出してダンパ１１を開くので、天井裏空間Ｂに漂うガス冷媒が室内ユニット１の通気口１ａを通って室内ユニット１内の吹出し風路９に流入する。流入したガス冷媒は、室内熱交換器８を経た空調用空気と共に、各吹出口４から室内空間Ａに吹出される。
【００４８】
室内空間Ａは天井裏空間Ｂに比べてかなり広いので、空調用空気と共に室内空間Ａに吹出されたガス冷媒は室内空間Ａにおいて拡散し低濃度化する。したがって、天井裏空間Ｂに漏れた冷媒が引火点に達することはなく、安全である。
【００４９】
制御部７０は、ダンパ１１を開くのに伴い、冷媒漏れの旨を例えばリモコン３０の文字表示やアイコン画像表示により報知する（ステップＳ１８）。この報知により、ユーザは、冷媒漏れが生じていることを認識し、保守・点検を依頼することができる。
【００５０】
また、制御部７０は、報知に伴い、圧縮機５１を停止して以後の運転を禁止する（ステップＳ１９）。この運転禁止により、冷媒が漏れたまま運転が継続することがなくなり、冷凍サイクル機器への悪影響を回避することができる。
【００５１】
冷媒漏れの個所が天井裏空間Ｂではない場合、天井裏空間Ｂに冷媒が存在しないのにダンパ１１を開くことになるが、冷媒漏れが生じた場合は圧縮機５１を停止して以後の運転を禁止するので、ダンパ１１が開いても不都合はない。
【００５２】
冷媒漏れの修理後、作業員により、リセットスイッチ７１がオン操作される。リセットスイッチ７１がオン操作されたとき、制御部７０は、内部メモリに記憶している初期状態を消去し、新たな運転が開始された後の初期状態を内部メモリに記憶する。こうして、初期状態の更新を行うことにより、移設後においても、冷媒の漏洩を確実に検出することができる。
【００５３】
また、制御部７０は、リセットスイッチ７１がオン操作に応じて初期状態フラグｆを“０”にリセットする。これにより、修理後の運転再開に際し、制御部７０は、室内ユニット１のダンパ１１を閉じる処理を行うことができる（ステップＳ１のＹＥＳ、ステップＳ２）。
【００５４】
なお、上記実施形態では、ヒートポンプ式冷凍サイクルに冷媒漏洩が無い場合の電動膨張弁５４の現時点の開度をヒートポンプ式冷凍サイクルの運転初期の状態量と現時点のヒートポンプ式冷凍サイクル状態量の変化量に基づいて予測し、この予測開度Ｑｍと電動膨張弁５４の現時点の実開度Ｑａとの比較によってヒートポンプ式冷凍サイクルの冷媒漏れを検出する構成としたが、それに限らず、他の検出手段を採用してもよい。例えば、天井裏空間Ｂにガスセンサや液体センサを配置し、このガスセンサによってガス冷媒や液冷媒の漏れを検出する構成としてもよい。
【００５５】
上記実施形態では、室内ユニット１の本体筐体に１つの通気口１ａを形成したが、複数たとえば４つの通気口１ａを各吹出口４と対応する位置にそれぞれ形成してもよい。
【００５６】
上記実施形態では、リセットスイッチ７１を制御部７０が搭載される制御回路基板に配置したが、リセットスイッチ７１をリモコン３０に設けてもよい。
【００５７】
その他、上記実施形態および変形例は、例として提示したものであり、発明の範囲を限定することは意図していない。この新規な実施形態および変形例は、その他の様々な形態で実施されることが可能であり、発明の要旨を逸脱しない範囲で、種々の省略、書き換え、変更を行うことができる。これら実施形態や変形は、発明の範囲は要旨に含まれるとともに、特許請求の範囲に記載された発明とその均等の範囲に含まれる。
【符号の説明】
【００５８】
１…室内ユニット、１ａ…通気口、２…化粧パネル、３…吸込みパネル、４…吹出口、５…室内ファン、５Ｍ…駆動モータ、６…吸込みダクト、７…吸込み風路、８…室内熱交換器、９…吹出し風路、１１…ダンパ、１２…開閉機構、１３…モータ、２１…天井面、２２…側壁、２３…上階フロア、Ａ…室内空間、Ｂ…天井裏空間、４０…室外ユニット、４１…液側冷媒配管、４２…ガス側冷媒配管、５０…インバータ、５１…圧縮機、５２…四方弁、５３…室外熱交換器、５４…電動膨張弁、５７…アキュームレータ、１１…室外ファン、１２…室内ファン、２１，２２，２３…温度センサ、Ａ…室外ユニット、Ｂ…室内ユニット、３０……リモコン、７０…制御部、７１…リセットスイッチ
【図１】
2015212600.tif 000003
【図２】
2015212600.tif 000004
【図３】
2015212600.tif 000005
【図４】
2015212600.tif 000006
【図５】
2015212600.tif 000007